(57)【要約】【課題】利用者がＰＣから複数のデジタルカメラにデータを転送する作業をしている場合、すべてのデジタルカメラへのデータ転送の作業が完了するまでの間は、他の利用者はそのＰＣを利用することができない。【解決手段】本発明は、このような問題点を解決するためになされたものであり、第一の外部装置から受信したデータを、利用者がそのデータを指定することなく第二の外部装置に記憶させることができる表示装置を提供することである。この表示装置を用いれば、利用者は第一の外部装置からこの表示装置にデータを受信させた後、利用者は第一の外部装置を利用することなく第二の外部装置にそのデータを記憶させることができる。【選択図】図３
2011138284.tif 000002
【特許請求の範囲】
【請求項１】
データを記憶するデータ記憶部と、
前記データ記憶部に記憶されたデータを表示する表示部と、
第一の外部装置との通信を行う第一通信部と、
第二の外部装置との通信を行う第二通信部と、
前記データ記憶部の転送用メモリ領域に、前記第一通信部を介して第一の外部装置により記憶されたデータがある場合、そのデータを前記データ記憶部の記憶用メモリ領域に記憶する第一記憶制御部と、
前記第二通信部による第二の外部装置との接続が確立していることを検知する接続検知部と、
前記接続検知部により接続が確立していることを検知した場合、前記データ記憶部の転送用メモリ領域にデータが記憶されているか否かを判断する記憶判断部と、
前記記憶判断部により前記データ記憶部の転送用メモリ領域にデータが記憶されていると判断した場合、前記データ記憶部の転送用メモリ領域に記憶されているデータを、前記第二通信部を介して第二の外部装置の転送用メモリ領域に記憶させる外部装置記憶制御部と、
を備えたことを特徴とする表示装置。
【請求項２】
前記データ記憶部の転送用メモリ領域に記憶されたデータを、第二の外部装置の転送用メモリ領域に記憶した後に削除する第一設定、または、前記データ記憶部の転送用メモリ領域に記憶されたデータを、第二の外部装置の転送用メモリ領域に記憶した後に削除しない第二設定の入力を受け付ける設定受付部と、
前記設定受付部により受け付けた設定を記憶する設定記憶部と、
前記設定記憶部に第一設定が記憶されている場合、前記データ記憶部の転送用メモリ領域に記憶されているデータを第二の外部装置の転送用メモリ領域に記憶した後、前記データ記憶部の転送用メモリ領域に記憶されているデータを削除し、前記設定記憶部に第二設定が記憶されている場合、前記データ記憶部の転送用メモリ領域に記憶されているデータを第二の外部装置の転送用メモリ領域に記憶した後、前記データ記憶部の転送用メモリ領域に記憶されているデータを削除しない第二記憶制御部と、
を備えたことを特徴とする請求項１に記載の表示装置。
【請求項３】
前記第一記憶制御部により前記データ記憶部の記憶用メモリ領域にデータを記憶した後、前記データ記憶部の転送用メモリ領域に記憶されているデータを削除する第三設定の入力を受け付ける第三設定受付部と、
前記第三設定受付部により受け付けた第三設定を記憶する第三設定記憶部と、
前記第三設定記憶部に第三設定が記憶されている場合、前記第一記憶制御部により前記データ記憶部の記憶用メモリ領域にデータを記憶した後、前記データ記憶部の転送用メモリ領域に記憶されているデータを削除する第三記憶制御部と、
を備えたことを特徴とする請求項１または請求項２のいずれかに記載の表示装置。
【請求項４】
前記外部装置記憶制御部による第二の外部装置の転送用メモリ領域へのデータの記憶が完了したときに、その完了を示す完了通知を、前記第二通信部を介して第二の外部装置に通知する完了通知部を備え、
前記第一記憶制御部は、前記第一通信部を介して前記完了通知を受信したときに、前記データ記憶部の転送用メモリ領域に記憶されたデータを、前記記憶部の記憶用メモリ領域に記憶することを特徴とする請求項１から３のいずれかに記載の表示装置。
【請求項５】
前記第一記憶制御部は、前記データ記憶部の転送用メモリ領域に記憶されたデータを、前記表示部により表示可能な形式のデータに変換して、前記データ記憶部の記憶用メモリ領域に記憶することを特徴とする請求項１から４のいずれかに記載の表示装置。
【請求項６】
前記外部装置記憶制御部による第二の外部装置の転送用メモリ領域へのデータの記憶が完了したとき、データの記憶が完了したことを示す報知を行う報知部を備えたことを特徴とする請求項１から５のいずれかに記載の表示装置。
【請求項７】
前記記憶判断部により前記データ記憶部の転送用メモリ領域にデータが記憶されていると判断したときに、前記データ記憶部の転送用メモリ領域のデータを第二の外部装置に記憶させる必要があるか否かの利用者の入力を受け付ける記憶要否受付部と、
前記外部装置記憶制御部は、前記記憶要否受付部により記憶させる必要がある旨の入力を受け付けた場合、前記データ記憶部の転送用メモリ領域に記憶されているデータを、前記第二通信部を介して第二の外部装置の転送用メモリ領域にデータを記憶させることを特徴とする請求項１から６のいずれかに記載の表示装置。
【請求項８】
前記外部装置記憶制御部は、前記記憶要否受付部により記憶させる必要がない旨の入力を受け付けた場合、前記データ記憶部の転送用メモリ領域に記憶されているデータを、前記データ記憶部の退避用メモリ領域に記憶させることを特徴とする請求項７に記載の表示装置。
【請求項９】
前記第一通信部による第一の外部装置との接続の切断を検知する切断検知部を備え、
前記第一記憶制御部は、前記切断検知部により切断を検知したときに、前記データ記憶部の転送用メモリ領域に記憶されたデータを、前記データ記憶部の記憶用メモリ領域に記憶することを特徴とする請求項１から８のいずれかに記載の表示装置。
【請求項１０】
前記第一通信部による第一の外部装置との通信が行われていない時間が一定時間経過するか否かを判断する経過時間判断部を備え、
前記第一記憶制御部は、前記経過時間判断部により通信が行われていない時間が一定時間経過したと判断したときに、前記データ記憶部の転送用メモリ領域に記憶されたデータを、前記データ記憶部の記憶用メモリ領域に記憶することを特徴とする請求項１から９のいずれかに記載の表示装置。
【請求項１１】
前記外部装置記憶制御部による第二の外部装置の転送用メモリ領域へのデータの記憶の完了の指示を受け付ける記憶完了指示受付部と、
前記完了指示受付部により完了の指示を受け付けたときに、前記第二通信部を介して前記第二の外部装置に対して、完了指示通知を送信する完了指示通知部と、
を備え、
前記第一記憶制御部は、前記第一通信部を介して完了指示通知を受信したときに、前記データ記憶部の転送用メモリ領域に記憶されたデータを、前記データ記憶部の記憶用メモリ領域に記憶することを特徴とする請求項１から１０のいずれかに記載の表示装置。
【請求項１２】
前記データ記憶部の転送用メモリ領域に記憶されているデータを第二の外部装置の転送用メモリ領域に記憶した後、前記記憶部の転送用メモリ領域に記憶されているデータを消去する第四記憶制御部を備えたことを特徴とする請求項１に記載の表示装置。
【請求項１３】
データを記憶するデータ記憶部と、
前記データ記憶部に記憶されたデータを表示する表示部と、
第一の外部装置との通信を行う第一通信部と、
第二の外部装置との通信を行う第二通信部と、
を備えた表示装置のコンピュータに、
前記データ記憶部の転送用メモリ領域に、前記第一通信部を介して第一の外部装置により記憶されたデータがある場合、そのデータを前記データ記憶部の記憶用メモリ領域に記憶する第一記憶制御ステップと、
前記第二通信部による第二の外部装置との接続が確立していることを検知する接続検知ステップと、
前記接続検知ステップにより接続が確率していることを検知した場合、前記データ記憶部の転送用メモリ領域にデータが記憶されているか否かを判断する記憶判断ステップと、
前記記憶判断ステップにより前記データ記憶部の転送用メモリ領域にデータが記憶されていると判断した場合、前記データ記憶部の転送用メモリ領域に記憶されているデータを、前記第二通信部を介して第二の外部装置の転送用メモリに記憶させる転送制御ステップと、
を実行させることを特徴とする表示装置のプログラム。
【発明の詳細な説明】
【技術分野】
【０００１】
本発明は、表示装置及び表示装置のプログラムに関するものである。
【背景技術】
【０００２】
特許文献１においては、ＰＣとデジタルカメラが接続された場合において、ＰＣの転送用メモリ領域に予めデータが記憶されていると、そのデータを自動的にデジタルカメラに転送するＰＣが記載されている。このため、利用者はＰＣとデジタルカメラを接続時に転送したいデータを指定しなくても、デジタルカメラにデータの転送を行うことが出来る。そして、ＰＣから複数のデジタルカメラに対してデータを転送する場合は、ＰＣと接続するデジタルカメラを交換するだけでよい旨の記載がある。
【先行技術文献】
【特許文献】
【０００３】
【特許文献１】特開２００６−２４０４６号公報
【発明の概要】
【発明が解決しようとする課題】
【０００４】
しかしながら、利用者がＰＣから複数のデジタルカメラにデータを転送する作業をしている場合、すべてのデジタルカメラへのデータ転送の作業が完了するまでの間は、他の利用者はそのＰＣを利用することができない。
【０００５】
本発明は、このような問題点を解決するためになされたものであり、第一の外部装置から受信したデータを、利用者がそのデータを指定することなく第二の外部装置に記憶させることができる表示装置を提供することである。この表示装置を用いれば、利用者は第一の外部装置からこの表示装置にデータを受信させた後、利用者は第一の外部装置を利用することなく第二の外部装置にそのデータを記憶させることができる。
【課題を解決するための手段】
【０００６】
上述の課題を解決するため、請求項１記載の表示装置によれば、データを記憶するデータ記憶部と、前記データ記憶部に記憶されたデータを表示する表示部と、第一の外部装置との通信を行う第一通信部と、第二の外部装置との通信を行う第二通信部と、前記データ記憶部の転送用メモリ領域に、前記第一通信部を介して第一の外部装置により記憶されたデータがある場合、そのデータを前記データ記憶部の記憶用メモリ領域に記憶する第一記憶制御部と、前記第二通信部による第二の外部装置との接続が確立していることを検知する接続検知部と、前記接続検知部により接続が確立していることを検知した場合、前記データ記憶部の転送用メモリ領域にデータが記憶されているか否かを判断する記憶判断部と、前記記憶判断部により前記データ記憶部の転送用メモリ領域にデータが記憶されていると判断した場合、前記データ記憶部の転送用メモリ領域に記憶されているデータを、前記第二通信部を介して第二の外部装置の転送用メモリ領域に記憶させる外部装置記憶制御部と、を備えたことを特徴とする。
【０００７】
請求項１の発明によれば、第一の外部装置から受信したデータを、利用者がそのデータを指定することなく第二の外部装置に記憶させることができる。この表示装置を用いれば、利用者は第一の外部装置からこの表示装置にデータを受信させた後、利用者は第一の外部装置を利用することなく第二の外部装置にそのデータを記憶させることができる。よって、転送用メモリ領域に記憶されたデータを複数の表示装置に記憶させる場合、表示装置同士の接続を繰り返すことにより、簡単に複数の表示装置にそのデータを記憶させることができる。
【０００８】
また、請求項２に記載の表示装置によれば、請求項１に記載の表示装置の特徴に加え、前記データ記憶部の転送用メモリ領域に記憶されたデータを、第二の外部装置の転送用メモリ領域に記憶した後に削除する第一設定、または、前記データ記憶部の転送用メモリ領域に記憶されたデータを、第二の外部装置の転送用メモリ領域に記憶した後に削除しない第二設定の入力を受け付ける設定受付部と、前記設定受付部により受け付けた設定を記憶する設定記憶部と、前記設定記憶部に第一設定が記憶されている場合、前記データ記憶部の転送用メモリ領域に記憶されているデータを第二の外部装置の転送用メモリ領域に記憶した後、前記データ記憶部の転送用メモリ領域に記憶されているデータを削除し、前記設定記憶部に第二設定が記憶されている場合、前記データ記憶部の転送用メモリ領域に記憶されているデータを第二の外部装置の転送用メモリ領域に記憶した後、前記データ記憶部の転送用メモリ領域に記憶されているデータを削除しない第二記憶制御部と、を備えたことを特徴とする。
【０００９】
請求項２の発明によれば、第二の外部装置にデータを記憶させたら、転送用メモリ領域のデータを削除することにより、再度、第二の外部装置と接続してもデータを第二の外部装置に記憶させない第一設定と、もしくは、第二の外部装置にデータを一度記憶させた後も、転送用メモリ領域のデータを削除せずに、再度、第二の外部装置と接続した場合に、再度、データを第二の外部装置に記憶させることが出来る第二設定との設定を行うことができる。
【００１０】
また、請求項３に記載の表示装置によれば、請求項１または請求項２のいずれかに記載の表示装置の特徴に加え、前記第一記憶制御部により前記データ記憶部の記憶用メモリ領域にデータを記憶した後、前記データ記憶部の転送用メモリ領域に記憶されているデータを削除する第三設定の入力を受け付ける第三設定受付部と、前記第三設定受付部により受け付けた第三設定を記憶する第三設定記憶部と、前記第三設定記憶部に第三設定が記憶されている場合、前記第一記憶制御部により前記データ記憶部の記憶用メモリ領域にデータを記憶した後、前記データ記憶部の転送用メモリ領域に記憶されているデータを削除する第三記憶制御部と、を備えたことを特徴とする。
【００１１】
請求項３に記載の発明によれば、第一の外部装置から受信したデータを記憶用メモリ領域に記憶した後、転送用メモリ領域に記憶されているデータを削除することにより、第二の外部装置と接続したときに第二の外部装置にデータを記憶させない第三設定を行うことができる。
【００１２】
また、請求項４に記載の表示装置によれば、請求項１から３のいずれかに記載の表示装置の特徴に加え、前記外部装置記憶制御部による第二の外部装置の転送用メモリ領域へのデータの記憶が完了したときに、その完了を示す完了通知を、前記第二通信部を介して第二の外部装置に通知する完了通知部を備え、前記第一記憶制御部は、前記第一通信部を介して前記完了通知を受信したときに、前記データ記憶部の転送用メモリ領域に記憶されたデータを、前記記憶部の記憶用メモリ領域に記憶することを特徴とする。
【００１３】
また、請求項５に記載の表示装置によれば、請求項１から４のいずれかに記載の表示装置の特徴に加え、前記第一記憶制御部は、前記データ記憶部の転送用メモリ領域に記憶されたデータを、前記表示部により表示可能な形式のデータに変換して、前記データ記憶部の記憶用メモリ領域に記憶することを特徴とする。
【００１４】
請求項５に記載の発明によれば、自動的に表示可能な形式のデータに変換されるので、利用者が表示可能な形式のデータに変換するための操作を行う必要がない。
【００１５】
また、請求項６に記載の表示装置によれば、請求項１から５のいずれかに記載の表示装置の特徴に加え、前記外部装置記憶制御部による第二の外部装置の転送用メモリ領域へのデータの記憶が完了したとき、データの記憶が完了したことを示す報知を行う報知部を備えたことを特徴とする。
【００１６】
請求項６に記載の発明によれば、データの記憶が完了したことを示す報知が行われるので、利用者は第一通信部による通信を切断しても良いタイミングを知ることが出来る。
【００１７】
また、請求項７に記載の表示装置によれば、請求項１から６のいずれかに記載の表示装置の特徴に加え、前記記憶判断部により前記データ記憶部の転送用メモリ領域にデータが記憶されていると判断したときに、前記データ記憶部の転送用メモリ領域のデータを第二の外部装置に記憶させる必要があるか否かの利用者の入力を受け付ける記憶要否受付部と、前記外部装置記憶制御部は、前記記憶要否受付部により記憶させる必要がある旨の入力を受け付けた場合、前記データ記憶部の転送用メモリ領域に記憶されているデータを、前記第二通信部を介して第二の外部装置の転送用メモリ領域にデータを記憶させることを特徴とする。
【００１８】
請求項７に記載の発明によれば、転送用メモリ領域に記憶されているデータを第二の外部装置に記憶させることが不要な場合に、第二の外部装置へのデータの記憶を中止することができる。
【００１９】
また、請求項８に記載の表示装置によれば、請求項７に記載の表示装置の特徴に加え、前記外部装置記憶制御部は、前記記憶要否受付部により記憶させる必要がない旨の入力を受け付けた場合、前記データ記憶部の転送用メモリ領域に記憶されているデータを、前記データ記憶部の退避用メモリ領域に記憶させることを特徴とする。
【００２０】
請求項８に記載の発明によれば、第二の外部装置への記憶を中止したデータが退避用メモリ領域に記憶されるので、第二の外部装置との接続時に再度そのデータを第二の外部装置へ記憶させたくなった場合、退避用メモリ領域から転送用メモリ領域にデータを移動させることにより、第二の外部装置と接続したときに、その第二の外部装置にデータを記憶させることが可能になる。
【００２１】
また、請求項９に記載の表示装置によれば、請求項１から８のいずれかに記載の表示装置の特徴に加え、前記第一通信部による第一の外部装置との接続の切断を検知する切断検知部を備え、前記第一記憶制御部は、前記切断検知部により切断を検知したときに、前記データ記憶部の転送用メモリ領域に記憶されたデータを、前記データ記憶部の記憶用メモリ領域に記憶することを特徴とする。
【００２２】
また、請求項１０に記載の表示装置によれば、請求項１から９のいずれかに記載の表示装置の特徴に加え、前記第一通信部による第一の外部装置との通信が行われていない時間が一定時間経過するか否かを判断する経過時間判断部を備え、前記第一記憶制御部は、前記経過時間判断部により通信が行われていない時間が一定時間経過したと判断したときに、前記データ記憶部の転送用メモリ領域に記憶されたデータを、前記データ記憶部の記憶用メモリ領域に記憶することを特徴とする。
【００２３】
また、請求項１１に記載の表示装置によれば、請求項１から１０のいずれかに記載の表示装置の特徴に加え、前記外部装置記憶制御部による第二の外部装置の転送用メモリ領域へのデータの記憶の完了の指示を受け付ける記憶完了指示受付部と、前記完了指示受付部により完了の指示を受け付けたときに、前記第二通信部を介して前記第二の外部装置に対して、完了指示通知を送信する完了指示通知部と、を備え、前記第一記憶制御部は、前記第一通信部を介して完了指示通知を受信したときに、前記データ記憶部の転送用メモリ領域に記憶されたデータを、前記データ記憶部の記憶用メモリ領域に記憶することを特徴とする。
【００２４】
また、請求項１２に記載の表示装置によれば、請求項１に記載の表示装置の特徴に加え、前記データ記憶部の転送用メモリ領域に記憶されているデータを第二の外部装置の転送用メモリ領域に記憶した後、前記記憶部の転送用メモリ領域に記憶されているデータを消去する第四記憶制御部を備えたことを特徴とする。
【００２５】
転送用メモリ領域に記憶されているデータを、一度、第二の外部装置に記憶させた後は、再度、第二の外部装置と接続したときに、再度第二の外部装置にデータを記憶させることがない。このため、あやまって、不要な第二の外部装置に誤ってデータを記憶させてしまうことを防止することができる。
【００２６】
また、請求項１３に記載の表示装置のプログラムによれば、データを記憶するデータ記憶部と、前記データ記憶部に記憶されたデータを表示する表示部と、第一の外部装置との通信を行う第一通信部と、第二の外部装置との通信を行う第二通信部と、を備えた表示装置のコンピュータに、前記データ記憶部の転送用メモリ領域に、前記第一通信部を介して第一の外部装置により記憶されたデータがある場合、そのデータを前記データ記憶部の記憶用メモリ領域に記憶する第一記憶制御ステップと、前記第二通信部による第二の外部装置との接続が確立していることを検知する接続検知ステップと、前記接続検知ステップにより接続が確率していることを検知した場合、前記データ記憶部の転送用メモリ領域にデータが記憶されているか否かを判断する記憶判断ステップと、前記記憶判断ステップにより前記データ記憶部の転送用メモリ領域にデータが記憶されていると判断した場合、前記データ記憶部の転送用メモリ領域に記憶されているデータを、前記第二通信部を介して第二の外部装置の転送用メモリに記憶させる転送制御ステップと、を実行させることを特徴とする。
【発明の効果】
【００２７】
本発明によれば、第一の外部装置から受信したデータを、利用者がそのデータを指定することなく第二の外部装置に記憶させることができる。この表示装置を用いれば、利用者は第一の外部装置からこの表示装置にデータを記憶させた後、利用者は第一の外部装置を利用することなく第二の外部装置にそのデータを記憶させることができる。よって、転送用メモリ領域に記憶されたデータを複数の表示装置に記憶させる場合、表示装置同士の接続を繰り返すことにより、簡単に複数の表示装置にそのデータを記憶させることができる。
【図面の簡単な説明】
【００２８】
【図１】表示装置１００の外観を示した概略図である。
【図２】表示装置１００のハードウェアの構成を示したブロック図である。
【図３】第一の作業手順における表示装置１００Ａ〜１００Ｃの状態の遷移を示す状態遷移図である。
【図４】第二の作業手順における表示装置１００Ａ〜１００Ｃの状態の遷移を示す状態遷移図である。
【図５】メイン処理の流れを示したフローチャートである。
【図６】ＵＳＢデバイス接続処理の流れを示したフローチャートである。
【図７】ＵＳＢホスト接続処理の流れを示したフローチャートである。
【図８】メニュー処理の流れを示したフローチャートである。
【図９】表示装置１００ＡのＵＳＢホストコネクタ１０９Ａと表示装置１００ＢのＵＳＢデバイスコネクタ１１１Ｂとを接続した場合の通信シーケンス図である。
【発明を実施するための形態】
【００２９】
＜＜表示装置１００の概要＞＞
以下に、本発明が適用される第一実施形態における表示装置１００について説明する。図１に示すように、表示装置１００は不揮発性表示パネル１０３と、操作部１０５とを備える。表示装置１００は、利用者の操作に従って不揮発性表示パネル１０３の画像を書きかえる。
【００３０】
不揮発性表示パネル１０３には、表示装置１００で表示可能なデータ形式の画像のコンテンツや、コンテンツ選択画面や、メニュー画面等の各種画像が表示される。コンテンツ選択画面は、表示装置１００に表示させるコンテンツを、利用者が選択するための画面である。メニュー画面は、表示装置１００で実行可能なメニュー項目を、利用者が選択するための画面である。表示装置１００で表示可能なコンテンツは、複数ページの画像により構成されている。
【００３１】
不揮発性表示パネル１０３としては、電気泳動型の表示素子やコレステリック液晶等を備えた表示パネルを用いることができる。以下の説明において、本実施形態における不揮発性表示パネル１０３は、電気泳動型の表示素子を備えた表示パネルであるものとして説明する。
【００３２】
不揮発性表示パネル１０３の画像は、後述の表示コントローラ１０２（図２参照）により書きかえられる。不揮発性表示パネル１０３に表示された画像は、不揮発性表示パネル１０３または表示コントローラ１０２への電力の供給が断たれても、表示されたまま維持される。このような表示装置１００は画像の表示の維持のために電力を必要としないため、画像の書きかえ後は、不揮発性表示パネル１０３や表示コントローラ１０２への電力の供給を停止することにより電力消費を抑えることができる。したがって、画像の表示の維持に電力が消費される従来のＬＣＤ（Ｌｉｑｕｉｄ Ｃｒｙｓｔａｌ Ｄｉｓｐｌａｙ）パネルや、ＰＤＰ（Ｐｌａｓｍａ Ｄｉｓｐｌａｙ Ｐａｎｅｌ）などの自発光型の表示パネルを備えた表示装置に比べ、消費電力が少ないという特徴がある。尚、本実施形態においては、表示装置１００は不揮発性表示パネル１０３を備えたものとして説明するが、本発明は、不揮発性表示パネル１０３以外の表示パネルを供えた表示装置に適用することも可能である。
【００３３】
操作部１０５は、利用者が電源のオン、または、電源のオフを指示する際に押下する電源キー１５１と、表示装置１００の電源オン中に利用者が所定の指示を入力するための複数の操作キー１５８とを有する。表示装置１００は、操作キー１５８として、メニューキー１５２と、閉じるキー１５３と、前キー１５５と、次キー１５６と、１３個の選択キー１５７とを備える。メニューキー１５２は、後述のメニュー画面を表示させるとき等に利用者が押下するキーである。閉じるキー１５３は、表示中のコンテンツの画像を閉じるとき等に押下するキーである。前キー１５５は、表示中のコンテンツの画像を前のページの画像に書き換えるとき等に押下するキーである。次キー１５６は、表示中のコンテンツの画像を次のページの画像に書き換えるとき等に押下するキーである。選択キー１５７は、メニュー画面において表示中のメニュー項目を選択するとき等に押下するキーである。
【００３４】
＜＜表示装置１００のハードウェア構成についての説明＞＞
表示装置１００のハードウェアの構成について図２を参照して説明する。表示装置１００は、制御部１０１と、表示コントローラ１０２と、不揮発性表示パネル１０３と、内部メモリ１０４と、操作部１０５と、メモリカードインターフェース１０６と、メモリカード１０７と、ＵＳＢホストコントローラ１０８と、ＵＳＢホストコネクタ１０９と、ＵＳＢデバイスコントローラ１１０と、ＵＳＢデバイスコネクタ１１１とを備える。
【００３５】
制御部１０１は、ＣＰＵ５１と、ＲＡＭ５２と、ＲＯＭ５３とを備える。ＣＰＵ５１と、ＲＡＭ５２と、ＲＯＭ５３とがそれぞれ協働して後述の各処理を実行することにより、制御部１０１は表示装置１００の各周辺機器を制御する。
【００３６】
ＣＰＵ５１は、ＲＯＭ５３に記憶されたプログラムに従って、表示装置１００の各周辺機器を制御する。
【００３７】
ＲＡＭ５２は、ＣＰＵ５１が処理を実行する際にＲＯＭ５３に記憶されたプログラムや各処理を実行する際に必要なデータを一時的に記憶する揮発性の記憶装置である。
【００３８】
ＲＯＭ５３は、後述のメイン処理等のプログラムを記憶している不揮発性の記憶装置である。
【００３９】
表示コントローラ１０２は、制御部１０１から受信する画像の書きかえ指示に従って、不揮発性表示パネル１０３のゲートドライバによるゲート信号の出力と、ソースドライバによるソース信号の出力とを制御する。これにより表示コントローラ１０２は、不揮発性表示パネル１０３が表示する画像の書き換えを制御する。
【００４０】
不揮発性表示パネル１０３は、周知のアクティブマトリクス方式の電気泳動型の表示パネルである。不揮発性表示パネル１０３は、不揮発性表示パネル１０３の各ゲートラインへゲート信号を出力するためのゲートドライバ（図示外）と、不揮発性表示パネル１０３の各ソースラインへソース信号を出力するためのソースドライバ（図示外）とを備える。不揮発性表示パネル１０３は、表示面側の透明基板と、透明基板に対向する位置に設けられた背面基板とを有する。透明基板と背面基板との間に電気泳動型の表示素子が設けられている。
【００４１】
内部メモリ１０４は、後述の設定情報等を記憶するための不揮発性の記憶部である。具体的にはＮＡＮＤ型フラッシュメモリ等を用いることができる。
【００４２】
操作部１０５は、上述したように電源キー１５１と、複数の操キー１５８とを備える。操作部１０５は押下された操作キー１５８に応じた信号を制御部１０１に出力する。これにより制御部１０１は、利用者によりいずれのキーが操作されたかを判断することができる。
【００４３】
メモリカードインターフェース１０６は、制御部１０１からの指示に従って、表示装置１００に装着されたメモリカード１０７からデータの読み出し、および、メモリカード１０７へのデータの書き込み、および、メモリカード１０７に記憶されたデータの消去を行う。
【００４４】
メモリカード１０７は、表示装置１００で表示可能なデータ形式のコンテンツのデータや、外部装置から受信した所定のファイル形式のデータ等を記憶する。また、メモリカード１０７には、転送用メモリ領域として「ＡＢＣ」と言う名称のフォルダが記憶されている。この「ＡＢＣ」と言う名称のフォルダを以後の説明において「ＡＢＣフォルダ」と称す。表示装置１００は、他の表示装置１００等の外部装置との接続時に、ＡＢＣフォルダ内にデータが記憶されている場合は、後述の設定に応じてＡＢＣフォルダ内に記憶されているデータを、接続された外部装置に転送することになる。また、メモリカード１０７には「ＡＢＣ＿Ａ」と言う名称のフォルダが記憶されている。以後の説明において「ＡＢＣ＿Ａ」と言う名称のフォルダを、「ＡＢＣ＿Ａフォルダ」と称す。後述のＵＳＢホスト接続処理において利用者が転送しないことを指定した場合は、ＡＢＣフォルダ内のデータがＡＢＣ＿Ａフォルダに退避される。メモリカード１０７は、表示装置１００に着脱可能に備えられている。
【００４５】
ＵＳＢホストコントローラ１０８は、ＵＳＢホストコネクタ１０９を介して接続されたデバイス側の外部装置との通信の制御を行う。
【００４６】
ＵＳＢデバイスコントローラ１１０は、ＵＳＢデバイスコネクタ１１１を介して接続されたホスト側の外部装置との通信の制御を行う。
【００４７】
＜＜データ転送を行う際の表示装置１００の状態の遷移についての説明＞＞
次に、図３、図４を参照して、複合機２００で読み取った画像のデータを３つの表示装置１００に転送する際の各表示装置１００の状態の遷移の一例について説明する。３つの表示装置１００を区別するために、以後の説明において３つの表示装置１００を、表示装置１００Ａ、表示装置１００Ｂ、表示装置１００Ｃと称す。
【００４８】
複合機２００は紙の原稿をスキャンして、原稿の画像を読み取り、読み取った画像からＰＤＦ等の所定のファイル形式のデータを作成するスキャナ機能を備えている。また、複合機２００はＵＳＢホストコントローラを備えている。複合機２００はＵＳＢホストコントローラを介して外部装置とマスストレージクラスで接続されている場合、原稿から読み取ったＰＤＦ等の画像のデータを外部装置に転送する機能を有する。尚、複合機２００はデバイス側の外部装置にデータを転送する際は、外部装置のストレージに「ＡＢＣ」という名称のファイルを作成し、そのＡＢＣフォルダ内にデータを記憶させるものとする。外部装置のストレージにＡＢＣフォルダがあらかじめ作成されている場合は、複合機２００は、そのあらかじめ作成されているそのＡＢＣフォルダ内にデータを記憶させるものとする。複合機２００と、表示装置１００Ａと、表示装置１００Ｂと、表示装置１００Ｃとは、それぞれＵＳＢケーブルを介して接続されるものとして説明する。
【００４９】
＜第一の作業手順における状態の遷移についての説明＞
以下において、図３を参照して、第一の作業手順で、表示装置１００Ａ〜１００Ｃそれぞれにデータを転送する場合における、表示装置１００Ａ〜１００Ｃの状態の遷移について説明する。
【００５０】
利用者は複合機２００のＵＳＢホストコネクタと表示装置１００ＡのＵＳＢデバイスコネクタ１１１ＡとをＵＳＢケーブルを用いて接続する。複合機２００と表示装置１００Ａとはマスストレージクラスで接続される。ＵＳＢデバイスコネクタ１１１Ａが接続されたことを検知すると、表示装置１００Ａは、ＵＳＢ接続中画面を表示する。ＵＳＢ接続中画面は、表示装置１００ＡのＵＳＢデバイスコネクタ１１１Ａが外部装置と接続されている旨のメッセージを表示する画面である。
【００５１】
次に、利用者は、表示装置１００ＡのＵＳＢホストコネクタ１０９Ａと表示装置１００ＢのＵＳＢデバイスコネクタ１１１ＢとをＵＳＢケーブルを用いて接続する。表示装置１００Ａと表示装置１００Ｂとはマスストレージクラスで接続される。ＵＳＢデバイスコネクタ１１１Ｂが接続されたことを検知すると、表示装置１００Ｂは、ＵＳＢ接続中画面を表示する。
【００５２】
次に、利用者は、表示装置１００ＢのＵＳＢホストコネクタ１０９Ｂと表示装置１００ＣのＵＳＢデバイスコネクタ１１１ＣとをＵＳＢケーブルを用いて接続する。表示装置１００Ｂと表示装置１００Ｃとはマスストレージクラスで接続される。ＵＳＢデバイスコネクタ１１１Ｃが接続されたことを検知すると、表示装置１００Ｃは、ＵＳＢ接続中画面を表示する。
【００５３】
このように、複合機２００、表示装置１００Ａ、表示装置１００Ｂ、表示装置１００Ｃを、それぞれＵＳＢケーブルを介して接続した後、利用者は、複合機２００を操作して、複合機２００に紙の原稿から画像のデータを読み取らせる。画像のデータを読み取った複合機２００はＵＳＢケーブルを介して表示装置１００Ａに転送する。
【００５４】
このようにして、複合機２００が表示装置１００Ａにデータを転送しているときの、表示装置１００Ａ〜１００Ｃ、及び、複合機２００の状態を図３中に状態１Ａとして示す。
【００５５】
読み取ったデータを表示装置１００Ａにすべて転送した後、複合機２００は表示装置１００Ａに完了通知を送信する。完了通知は、データの転送が完了したことを示す通知である。この完了通知を受信した表示装置１００Ａは、受信したデータを記憶し、データ受信完了画面を表示する。データ受信完了画面は、データの受信が完了した旨のメッセージを表示する画面である。
【００５６】
このようにして、表示装置１００Ａがデータ受信完了画面を表示しているときの、表示装置１００Ａ〜１００Ｃ、及び、複合機２００の状態を図３中に状態２Ａとして示す。
【００５７】
表示装置１００Ａにデータ受信完了画面が表示された後は、複合機２００から表示装置１００Ａにデータの送信が行われることがないため、利用者は、複合機２００と表示装置１００Ａの接続を切断することが出来る。
【００５８】
データ受信完了画面を表示した後、ＵＳＢホストコネクタ１０９Ａが外部装置と接続されている場合、表示装置１００Ａは確認画面を表示する。確認画面は利用者にデータの転送を許可するか否かを問い合わせる画面である。
【００５９】
利用者が複合機２００と表示装置１００Ａとの間のＵＳＢケーブルを抜き取って、表示装置１００Ａが確認画面を表示しているときの、表示装置１００Ａ〜１００Ｃ、及び、複合機２００の状態を図３中に状態３Ａとして示す。この後、複合機２００は、この利用者により操作されることはないため、他の利用者が複合機２００を利用することができる。表示装置１００Ａ〜１００Ｃのすべてへのデータの転送が完了するまで、一人の利用者が複合機２００を占有してしまうという問題がない。
【００６０】
表示装置１００Ａが確認画面を表示した後、転送を許可するための操作を利用者が行うと、表示装置１００ＡはＵＳＢホストコネクタ１０９Ａを介して表示装置１００Ｂにデータの転送を開始する。このとき表示装置１００Ａは、データ転送中画面を表示する。データ転送中画面は、利用者にデータが転送中である旨を示すメッセージを表示する画面である。このときの、表示装置１００Ａ〜１００Ｃ、及び、複合機２００の状態を図３中に状態４Ａとして示す。
【００６１】
表示装置１００Ａがデータの転送を完了すると、表示装置１００Ａはデータ転送完了画面を表示する。データ転送完了画面は、データの転送が完了したことを示すメッセージを表示する画面である。また、表示装置１００Ａはデータの転送が完了したときに、完了通知を表示装置１００Ｂに送信する。完了通知を受信した表示装置１００Ｂは、データ受信完了画面を表示する。そして表示装置１００Ｂには表示装置１００Ａから受信したデータが記憶される。このときの、表示装置１００Ａ〜１００Ｃ、及び、複合機２００の状態を図３中に状態５Ａとして示す。
【００６２】
表示装置１００Ａから表示装置１００Ｂへのデータの転送が完了した後は、表示装置１００Ａと表示装置１００ＢとをＵＳＢケーブルで接続しておく必要がないので、利用者は表示装置１００Ａと表示装置１００Ｂとを接続しているＵＳＢケーブルを取り外す。なお、利用者はすべての表示装置１００Ａ〜１００Ｃへのデータの転送が完了した後に、すべてのＵＳＢケーブルを取り外しても良い。データ受信完了画面を表示した後、ＵＳＢホストコネクタ１０９Ｂが外部装置と接続されている場合、表示装置１００Ｂは確認画面を表示する。このときの、表示装置１００Ａ〜１００Ｃ、及び、複合機２００の状態を図３中に状態６Ａとして示す。
【００６３】
このあと、利用者が表示装置１００Ｂに対して、データの転送を許可する操作を行うと、表示装置１００Ｂから、表示装置１００Ｃにデータが転送され、表示装置１００Ｃにデータが記憶される。
【００６４】
このように本発明を適用した表示装置１００Ａ〜１００Ｃによれば、複合機２００から受信したデータを指定する操作をすることなく、表示装置１００Ａ〜１００Ｃの接続を行うことで、複合機２００から受信したデータを表示装置１００Ａ〜１００Ｃに記憶させることが出来る。
【００６５】
＜第二の作業手順における状態の遷移についての説明＞
以下において、図４を参照して、第二の作業手順で、表示装置１００Ａ〜１００Ｃそれぞれにデータを転送する場合における、表示装置１００Ａ〜１００Ｃの状態の遷移について説明する。
【００６６】
利用者は複合機２００のＵＳＢホストコネクタと表示装置１００ＡのＵＳＢデバイスコネクタ１１１ＡとをＵＳＢケーブルを用いて接続する。複合機２００と表示装置１００Ａとはマスストレージクラスで接続される。ＵＳＢデバイスコネクタ１１１Ａが接続されたことを検知すると、表示装置１００Ａは、ＵＳＢ接続中画面を表示する。
【００６７】
このように、複合機２００と表示装置１００ＡとをＵＳＢケーブルを介して接続した後、利用者は、複合機２００を操作して、複合機２００に紙の原稿から画像のデータを読み取らせる。画像のデータを読み取った後、複合機２００はＵＳＢケーブルを介して表示装置１００Ａに転送する。このようにして、複合機２００が表示装置１００Ａにデータを転送しているときの、表示装置１００Ａ〜１００Ｃ、及び、複合機２００の状態を図４中に状態１Ｂとして示す。尚、このとき表示装置１００Ｂ、表示装置１００Ｃは一例として白紙の状態を表示しているものとする。
【００６８】
読み取ったデータを表示装置１００Ａにすべて転送した後、複合機２００は表示装置１００Ａに完了通知を送信する。完了通知を受信した表示装置１００Ａは、受信したデータを記憶し、データ受信完了画面を表示する。データ受信完了画面は、データの受信が完了した旨のメッセージを表示する画面である。このようにして、表示装置１００Ａがデータ受信完了画面を表示しているときの、表示装置１００Ａ〜１００Ｃ、及び、複合機２００の状態を図４中に状態２Ｂとして示す。
【００６９】
表示装置１００Ａにデータ受信完了画面が表示された後は、複合機２００から表示装置１００Ａにデータの送信が行われることがないため、利用者は、複合機２００と表示装置１００Ａの接続を切断することが出来る。利用者が複合機２００と表示装置１００Ａとの間のＵＳＢケーブルを抜き取ったあとは、他の利用者が自由に複合機２００を使用することが出来る。すなわち、表示装置１００Ａ〜１００Ｃのすべてへのデータの転送が完了するまで一人の利用者が複合機２００を占有してしまうという問題がない。
【００７０】
データ受信完了画面を表示した後、利用者は、表示装置１００ＡのＵＳＢホストコネクタ１０９Ａと表示装置１００ＢのＵＳＢデバイスコネクタ１１１ＢとをＵＳＢケーブルを用いて接続する。表示装置１００Ａと表示装置１００Ｂとはマスストレージクラスで接続される。ＵＳＢデバイスコネクタ１１１Ｂが接続されたことを検知すると、表示装置１００Ｂは、ＵＳＢ接続中画面を表示する。またＵＳＢホストコネクタ１０９Ａが接続されたことを検知すると、表示装置１００Ａは確認画面を表示する。利用者が複合機２００と表示装置１００Ａとの間のＵＳＢケーブルを抜き取って、表示装置１００Ａと表示装置１００ＢとをＵＳＢケーブルにより接続し、表示装置１００Ａが確認画面を表示しているときの、表示装置１００Ａ〜１００Ｃ、及び、複合機２００の状態を図４中に状態３Ｂとして示す。
【００７１】
表示装置１００Ａが確認画面を表示した後、転送を許可するための操作を利用者が行うと、表示装置１００ＡはＵＳＢホストコネクタ１０９Ａを介して表示装置１００Ｂにデータの転送を開始する。このとき表示装置１００Ａは、データ転送中画面を表示する。このときの、表示装置１００Ａ〜１００Ｃ、及び、複合機２００の状態を図４中に状態４Ｂとして示す。
【００７２】
表示装置１００Ａがデータの転送を完了すると、表示装置１００Ａはデータ転送完了画面を表示する。また、表示装置１００Ａはデータの転送が完了したときに、完了通知を表示装置１００Ｂに送信する。完了通知を受信した表示装置１００Ｂは、データ受信完了画面を表示する。そして表示装置１００Ｂには表示装置１００Ａから受信したデータが記憶される。このときの、表示装置１００Ａ〜１００Ｃ、及び、複合機２００の状態を図４中に状態５Ｂとして示す。
【００７３】
表示装置１００Ａから表示装置１００Ｂへのデータの転送が完了した後は、利用者は表示装置１００Ｂを表示装置１００Ａから取り外し、代わりに表示装置１００Ｃを表示装置１００Ａに接続する。利用者は、表示装置１００ＢのＵＳＢホストコネクタ１０９Ｂと表示装置１００ＣのＵＳＢデバイスコネクタ１１１ＣとをＵＳＢケーブルを用いて接続する。表示装置１００Ｂと表示装置１００Ｃとはマスストレージクラスで接続される。ＵＳＢデバイスコネクタ１１１Ｃが接続されたことを検知すると、表示装置１００Ｃは、ＵＳＢ接続中画面を表示する。また、ＵＳＢホストコネクタ１０９Ｂが接続されたことを検知すると、表示装置１００Ｂは確認画面を表示する。このときの、表示装置１００Ａ〜１００Ｃ、及び、複合機２００の状態を図４中に状態６Ｂとして示す。
【００７４】
このあと、利用者が表示装置１００Ｂに対して、データの転送を許可する操作を行うと、表示装置１００Ｂから、表示装置１００Ｃにデータが転送され、表示装置１００Ｃにデータが記憶される。
【００７５】
このように本発明を適用した表示装置１００Ａ〜１００Ｃによれば、複合機２００から受信したデータを指定する操作をここなくことなく、表示装置１００Ａ〜１００Ｃの接続を行うことで、複合機２００から受信したデータを表示装置１００Ａ〜１００Ｃに記憶させることが出来る。
【００７６】
＜＜表示装置１００の詳細な動作についての説明＞＞
上述の第一の作業手順、及び、第二の作業手順によちデータの転送を行うことの出来る表示装置１００の詳細な動作について、フローチャートを用いて説明する。電源キー１５１が押下されると、図示外の電源から制御部１０１に電力の供給が開始され、制御部１０１は図５に示すメイン処理を開始する。
【００７７】
＜メイン処理の説明＞
メイン処理を開始すると制御部１０１は、ＵＳＢデバイスコネクタ１１１が外部装置と接続され、ホスト側の外部装置と通信ができる状態にあるか否かを判断する（ステップ１０１、以下ステップをＳと称す）。
【００７８】
ホスト側の外部装置と通信ができる状態にあると判断した場合（Ｓ１０１：Ｙｅｓ）、制御部１０１は、後述のＵＳＢデバイス接続処理を行う（Ｓ１０４）。
【００７９】
ＵＳＢデバイスコネクタ１１１が外部装置と接続されておらず、ホスト側の外部装置と通信ができる状態にないと判断した場合（Ｓ１０１）、制御部１０１は、ＵＳＢホストコネクタ１０９が外部装置と接続され、デバイス側の外部装置と通信ができる状態にあるか否かを判断する（Ｓ１０２）。
【００８０】
デバイス側の外部装置と通信ができる状態にあると判断した場合（Ｓ１０２：Ｙｅｓ）、制御部１０１は、後述のＵＳＢホスト接続処理を行う（Ｓ１０５）。
【００８１】
ＵＳＢホストコネクタ１０９が外部装置と接続されておらず、デバイス側の外部装置と通信ができる状態にないと判断した場合（Ｓ１０２：Ｎｏ）、利用者によりメニューキー１５２が押下されたか否かを判断する（Ｓ１０３）。
【００８２】
利用者によりメニューキー１５２が押下されたと判断した場合は（Ｓ１０３：ＹＥＳ）、制御部１０１は、後述のメニュー処理を行う（Ｓ１０６）。
【００８３】
利用者によりメニューキー１５２が押下されていないと判断した場合（Ｓ１０３：ＮＯ）、上述のＵＳＢデバイス接続処理（Ｓ１０４）のを終了した場合、ＵＳＢホスト接続処理（Ｓ１０５）を終了した場合、または、メニュー処理（Ｓ１０６）を終了した場合は、制御部１０１は、電源キー１５１が押下されているか否かを判断する（Ｓ１０７）。
【００８４】
電源キー１５１が押下されている場合は（Ｓ１０７：Ｙｅｓ）、制御部１０１はメイン処理を終了し、表示装置１００の電源はオフされる。
【００８５】
電源キー１５１が押下されていない場合は（Ｓ１０７：Ｎｏ）、制御部１０１は上述のＳ１０１の処理に移行する。
【００８６】
＜ＵＳＢデバイス接続処理の説明＞
次に、上述のメイン処理のＳ１０４により開始されるＵＳＢデバイス接続処理について、図６を参照して説明する。ＵＳＢデバイス接続処理を開始すると先ず、制御部１０１は、ＵＳＢ接続中であることを示すＵＳＢ接続中画面を不揮発性表示パネル１０３に表示させる（Ｓ２０１）。
【００８７】
次に、制御部１０１は、ホスト側の外部装置から完了通知を受信するか否かを判断する（Ｓ２０２）。制御部１０１は、ホスト側の外部装置から完了通知を受信するまで待機する（Ｓ２０２：Ｎｏ）。ホスト側の外部装置がデバイス側の表示装置１００に対して転送すべきデータのすべてを転送し、デバイス側の表示装置１００のＡＢＣフォルダ内へのそのデータの記憶が完了した後に、ホスト側の外部装置からデバイス側の表示装置１００に完了通知が送信される。
【００８８】
完了通知を受信したと判断した場合（Ｓ２０２：Ｙｅｓ）、制御部１０１は、メモリカード１０７のＡＢＣフォルダにデータがあるか否かを判断する（Ｓ２０３）。メモリカード１０７のＡＢＣフォルダにデータがない場合、若しくは、メモリカード１０７にＡＢＣフォルダそのものがない場合は（Ｓ２０３：Ｎｏ）、制御部１０１はメイン処理に移行する。
【００８９】
メモリカード１０７のＡＢＣフォルダ内にデータがあると判断した場合は（Ｓ２０３：Ｙｅｓ）、制御部１０１は、メモリカード１０７のＡＢＣフォルダ内に記憶されたデータを、表示装置１００で表示可能な形式のデータに変換し、メモリカード１０７のＡＢＣフォルダ以外の領域に変換後のデータを記憶する（Ｓ２０４）。ＡＢＣフォルダ以外の領域として、たとえば「ＤＥＦ」という名称のフォルダ内に変換後のデータを記憶するようにすれば良い。ＡＢＣフォルダ以外の領域が特許請求の範囲に記載の保存用メモリ領域に相当する。
【００９０】
次に、制御部１０１は、データ受信完了画面を不揮発性表示パネル１０３に表示させる（Ｓ２０５）。データ受信完了画面を表紙させた後、制御部１０１は、内部メモリ１０４に記憶されている設定情報を確認して、「受信後にデータ削除」が設定されているか否かを判断する（Ｓ２０６）。尚、後述のメニュー処理において設定される「削除しない」、「受信後にデータ削除」、「転送後にデータ削除」のいずれかの設定が、設定情報として内部メモリ１０４には記憶されている。
【００９１】
設定情報として「受信後にデータ削除」が記憶されている場合は（Ｓ２０６：Ｙｅｓ）、制御部１０１は、メモリカード１０７のＡＢＣフォルダに記憶されているデータを削除して（Ｓ２０７）、上述のメイン処理に戻る。
【００９２】
設定情報として「受信後にデータ削除」が記憶されていない場合は（Ｓ２０６：Ｎｏ）、制御部１０１は、ＵＳＢホストコネクタ１０９と外部装置が接続されており、デバイス側の外部装置と通信が可能な状態であるか否かを判断する（Ｓ２０８）。
【００９３】
ＵＳＢホストコネクタ１０９と外部装置とが接続されていると判断した場合は（Ｓ２０８：Ｙｅｓ）、制御部１０１は、後述のＵＳＢホスト接続処理に移行する。
【００９４】
ＵＳＢホストコネクタ１０９と外部装置とが接続されていないと判断した場合は（Ｓ２０８：Ｎｏ）、制御部１０１は、後述のＵＳＢホスト接続処理には移行せずに、メイン処理に戻る。
【００９５】
＜ＵＳＢホスト接続処理についての説明＞
次に、上述のメイン処理のＳ１０５により開始されるＵＳＢホスト接続処理について、図７を参照して説明する。ＵＳＢホスト接続処理を開始すると先ず、制御部１０１は、メモリカード１０７のＡＢＣフォルダの中にデータが記憶されているか否かを判断する（Ｓ３０１）。ＡＢＣフォルダの中にデータが記憶されていない場合、若しくは、メモリカード１０７の中にＡＢＣフォルダ自体が記憶されていない場合は（Ｓ３０１：Ｎｏ）、制御部１０１は、後述のＳ３１１に移行する。
【００９６】
ＡＢＣフォルダの中にデータが記憶されていると判断した場合は（Ｓ３０１：Ｙｅｓ）、制御部１０１は、不意揮発性表示パネル１０３に確認画面を表示させる（Ｓ３０２）。確認画面は利用者にデータの転送を許可するか否かを問い合わせる画面である。確認画面では、転送を行うか否かを確認する旨のメッセージが表示されるとともに、特定の２つの選択キー１５７に対応する位置に「転送する」、「転送しない」の二つの項目が表示される。
【００９７】
次に、制御部１０１は、利用者が上述の「転送する」の項目を選択したか否かを判断する（Ｓ３０３）。
【００９８】
利用者が「転送しない」の項目に対応する位置の選択キー１５７を押下したと判断した場合は（Ｓ３０３：Ｎｏ）、制御部１０１は、メモリカード１０７のＡＢＣフォルダ内に記憶されているデータを、メモリカード１０７のＡＢＣ＿Ａフォルダへ移動させる（Ｓ３１０）。すなわち、ＡＢＣフォルダ内のデータは削除され、ＡＢＣフォルダ内に記憶されていたデータは、ＡＢＣ＿Ａフォルダ内に記憶されることになる。
【００９９】
利用者が「転送する」の項目に対応する位置の選択キー１５７を押下したと判断した場合は（Ｓ３０３：Ｙｅｓ）、制御部１０１は、不揮発性表示パネル１０３にデータ転送中画面を表示させる（Ｓ３０４）。
【０１００】
次に、制御部１０１は、メモリカード１０７のＡＢＣフォルダ内に記憶されているデータを、ＵＳＢホストコントローラ１０８を介してデバイス側の表示装置１００に送信し、デバイス側の表示装置１００のＡＢＣフォルダ内に記憶させる（Ｓ３０５）。なお、デバイス側の表示装置１００のメモリカード１０７内にＡＢＣフォルダがない場合は、制御部１０１は、デバイス側の表示装置１００のメモリカード１０７にＡＢＣフォルダを作成し、そこにデータを記憶させる。
【０１０１】
データの転送が完了すると、制御部１０１は、ＵＳＢホストコントローラ１０１を介してデバイス側の表示装置１００に完了通知を送信し（Ｓ３０６）、不揮発性表示パネル１０３に転送が完了したことを示すデータ転送完了画面を表示させる（Ｓ３０７）。
【０１０２】
次に、制御部１０１は、内部メモリ１０４に設定情報として「転送後にデータ削除」が記憶されているか否かを判断する（Ｓ３０８）。「転送後にデータ削除」の設定情報が記憶されている場合は（Ｓ３０８：Ｙｅｓ）、制御部１０１は、ＡＢＣフォルダに記憶されているデータを削除する（Ｓ３０９）。
【０１０３】
「転送後にデータ削除」の設定が内部メモリ１０４に記憶されていない場合（Ｓ３０８：Ｎｏ）、もしくは、Ｓ３０９においてＡＢＣフォルダのデータを削除した後、もしくは、Ｓ３１０においてＡＢＣフォルダのデータをＡＢＣ＿Ａフォルダに移動した後、制御部１０１は、ＵＳＢデバイスコネクタ１１１がホスト側の外部装置と接続されているか否かを判断する（Ｓ３１１）。
【０１０４】
ＵＳＢデバイスコネクタ１１１が外部装置と接続されている場合は（Ｓ３１１：Ｙｅｓ）、制御部１０１は、上述のＵＳＢデバイス接続処理に移行する。
【０１０５】
ＵＳＢデバイスコネクタ１１１が外部装置と接続されていない場合は（Ｓ３１１：Ｎｏ）、制御部１０１は、メイン処理へ移行する。
【０１０６】
＜メイン処理の説明＞
次に、上述のメイン処理のＳ１０６により開始されるメニュー処理について図８を参照して説明する。メニュー処理を開始すると先ず、制御部１０１は、メニュー画面を不揮発性表示パネル１０３に表示する。メニュー画面では複数の選択キー１５７のそれぞれに対応する位置に複数のメニュー項目が表示される。複数のメニュー項目のうち少なくともひとつのメニュー項目は「データ受信設定」のメニュー項目である。
【０１０７】
次に、制御部１０１は複数の選択キー１５７のうち「データ受信設定」のメニュー項目に対応する位置の選択キー１５７が押下されたか否かを判断する（Ｓ４０２）。
【０１０８】
「データ受信設定」のメニュー項目に対応する位置の選択キー１５７が押下されたと判断した場合（Ｓ４０２：Ｙｅｓ）、制御部１０１は、データ受信設定画面を不揮発性表示パネル１０３に表示させる（Ｓ４０３）。データ受信設定画面では、「削除しない」、「受信後にデータ削除」、「転送後にデータ削除」の３種類の設定が、選択キー１５７のそれぞれに対応する位置に表示される。
【０１０９】
データ受信設定画面を表示後、制御部１０１は、上述の３種類の設定のうち、いずれの設定に対応する選択キー１５７が押下されるかを受け付ける（Ｓ４０４）。そして、押下された選択キー１５７に対応する位置の設定を設定情報として内部メモリ１０４に保存して（Ｓ４０５）、メイン処理に戻る。
【０１１０】
「データ受信設定」のメニュー項目に対応する位置の選択キー１５７が押下されずに、その他の操作キー１５８が押下された場合は（Ｓ４０２：Ｎｏ）、制御部１０１は、その他の操作キー１５８の押下に対応した処理を行って（Ｓ４０６）、メイン処理に戻る。
【０１１１】
＜ＵＳＢケーブルを接続時の通信シーケンスについての説明＞
表示装置１００ＡのＵＳＢホストコネクタ１０９Ａと、表示装置１００ＢのＵＳＢデバイスコネクタ１１１Ｂと、を接続した場合の通信シーケンスについて図９を参照して説明する。
【０１１２】
まず、利用者が、表示装置１００ＡのＵＳＢホストコネクタ１０９Ａと、表示装置１００ＢのＵＳＢデバイスコネクタ１１１Ｂとを、ＵＳＢケーブルで接続する（Ｓ５０１）。
【０１１３】
ＵＳＢケーブルで接続されると、電源ラインであるＶＢＵＳに所定の電圧が印加される（Ｓ５０２）。
【０１１４】
次に、ＵＳＢホストコントローラ１０８Ａは、接続されたＵＳＢデバイスコントローラ１０８に対してアドレスを割り当て、「Ｓｅｔ  Ａｄｄｒｅｓｓ」というＵＳＢリクエストをＵＳＢデバイスコントローラ１１０Ｂに送信する（Ｓ５０３）。
【０１１５】
「Ｓｅｔ  Ａｄｄｒｅｓｓ」を受け取ったＵＳＢデバイスコントローラ１１０Ｂは、「Ｓｅｔ  Ａｄｄｒｅｓ」で指定されているアドレスを自己のアドレスとして記憶して、アドレスの設定が完了したことを示す応答メッセージをＵＳＢホストコントローラ１０８Ａに送信する（Ｓ５０４）。
【０１１６】
応答メッセージを受信したＵＳＢホストコントローラ１０８Ａは、ＵＳＢホストデバイスコントローラ１１０Ｂに「Ｇｅｔ  Ｄｅｓｃｒｉｐｔｏｒ」というＵＳＢリクエストを送信する（Ｓ５０５）。
【０１１７】
「Ｇｅｔ  Ｄｅｓｃｒｉｐｔｏｒ」を受信したＵＳＢデバイスコントローラ１１０Ｂは、ＵＳＢＣｌａｓｓ、製品名、メーカー名等の情報である「Ｄｅｓｃｒｉｐｔｏｒ情報」をＵＳＢホストコントローラ１０８Ａに送信する（Ｓ５０６）。尚、本実施形態においてはＵＳＢＣｌａｓｓがストレージクラスであることを「Ｄｅｓｃｒｉｐｔｏｒ情報」として送信する。
【０１１８】
「Ｄｅｓｃｒｉｐｔｏｒ情報」を受信したＵＳＢホストコントローラ１０８Ａは、ＵＳＢデバイスコントローラ１１０Ｂに対して、「Ｓｅｔ  Ｃｏｎｆｉｇｕｒａｔｉｏｎ」というＵＳＢリクエストを送信する（Ｓ５０６）。「Ｓｅｔ  Ｃｏｎｆｉｇｕｒａｔｉｏｎ」を受信したＵＳＢデバイスコントローラ１１０Ｂは、初期設定を終了し、接続が確立したことを示す信号を表示装置１００Ｂの制御部１０１Ｂに送信する。ＵＳＢデバイスコントローラ１１０Ｂから接続が確立したことを示す信号を受信した制御部１０１Ｂは、ＵＳＢデバイスコネクタ１１１Ｂがホスト側の外部装置と接続されたことを検知することができる。また、「Ｓｅｔ  Ｃｏｎｆｉｇｕｒａｔｉｏｎ」を送信したＵＳＢホストコントローラ１０８Ａは、接続が確立したことを示す信号を表示装置１００の制御部１０１Ａに送信する。ＵＳＢホストコントローラ１０８Ａから接続が確立したことを示す信号を受信した制御部１０１Ａは、ＵＳＢホストコネクタ１０９Ａがデバイス側の外部装置と接続されたことを検知することができる。
【０１１９】
以上の動作により、このように本発明を適用した表示装置１００によれば、ＵＳＢデバイスコントローラ１０８を介して受信したデータを、利用者がそのデータの指定をする操作を行うことなく、外部装置に転送することが出来る。
【０１２０】
尚、メモリカード１０７と、メモリカードインターフェース１０６とが、特許請求の範囲に記載のデータ記憶部に相当する。また、ＵＳＢデバイスコントローラ１１０が、特許請求の範囲に記載の第一通信部に相当する。また、ＵＳＢホストコントローラ１０８が、特許請求の範囲に記載の第二通信部に相当する。また、メモリカード１０７のＡＢＣフォルダの領域が、特許請求の範囲に記載の転送用メモリ領域に相当する。また、メモリカード１０７のＡＢＣフォルダ以外の領域が、特許請求の範囲に記載の記憶用メモリ領域に相当する。また、ＵＳＢデバイス接続処理のＳ２０４において、ＡＢＣフォルダ以外の領域にデータを記憶させる制御部１０１が、特許請求の範囲に記載の第一記憶制御部に相当する。また、メイン処理のＳ１０２、ＵＳＢデバイス接続処理のＳ２０８においてＵＳＢホストコネクタ１１１が接続されているか否かを判断する制御部１０１が、特許請求の範囲に記載の接続検知部に相当する。また、ＵＳＢホスト接続処理のＳ３０１においてＡＢＣフォルダにデータが記憶されているか否かを判断する制御部１０１が、特許請求の範囲に記載の記憶判断部に相当する。また、ＵＳＢホスト接続処理のＳ３０５において、ＡＢＣフォルダのデータを転送する制御部１０１が、特許請求の範囲に記載の外部装置記憶制御部に相当する。また、選択キー１５７が、特許請求の範囲に記載の設定受付部及び第三設定受付部に相当する。また、メニュー処理のＳ４０５において、設定情報が記憶される内部メモリ１０４が、特許請求の範囲に記載の設定記憶部及び第三設定記憶部に相当する。また、「転送後にデータ削除」の設定が、特許請求の範囲に記載の第一設定に相当する。また、「削除しない」の設定が、特許請求の範囲に記載の第二設定に相当する。また、ＵＳＢホスト接続処理のＳ３０８とＳ３０９との処理を行う制御部１０１が、特許請求の範囲に記載の第二記憶制御部に相当する。また、ＵＳＢデバイス接続処理のＳ２０６とＳ２０７の処理を行う制御部１０１が、特許請求の範囲に記載の第三記憶制御部に相当する。また、ＵＳＢホスト接続処理のＳ３０６において完了通知を通知する制御部１０１が、特許請求の範囲に記載の完了通知部に相当する。また、不揮発性表示パネル１０３と表示コントローラ１０２とが、特許請求の範囲に記載の表示部に相当する。また、ＵＳＢホスト接続処理のＳ３０７において、データ転送完了画面を表示する不揮発性表示パネル１０３が、特許請求の範囲に記載の報知部に相当する。また、選択キー１５７が、特許請求の範囲に記載の記憶要否受付部に相当する。また、メモリカード１０７のＡＢＣ＿Ａフォルダの領域が、特許請求の範囲に記載の退避用メモリ領域に相当する。
【０１２１】
尚、本発明の表示装置及び表示装置のプログラムは、上記した実施の形態に限定されるものではなく、本発明の要旨を逸脱しない範囲内において種々変更を加え得ることは勿論である。
【０１２２】
上述の実施形態においては、ＵＳＢデバイス接続処理のＳ２０２において、完了通知を受信するまで待機し、完了通知を受信した場合にＡＢＣフォルダ内のデータを、ＡＢＣフォルダ以外の領域に記憶するものとして説明したが、本発明は次のような変形も考えられる。
【０１２３】
たとえば、上述のＳ２０２において、完了通知を受信するまで待機するかわりに、ＵＳＢケーブルがＵＳＢデバイスコネクタ１１１から抜き取られるまで待機して、ＵＳＢケーブルが抜き取られた場合に、制御部１０１がＳ２０３を行うようにしてもよい。ＵＳＢケーブルが抜き取られると、ＵＳＢデバイスコントローラ１１０が、抜き取られたことを示す信号を制御部１０１に送信する。これにより、制御部１０１はＵＳＢケーブルが抜き取られたことを検知することができる。尚、この制御部１０１が、特許請求の範囲に記載の切断検知部に相当する。
【０１２４】
また、たとえば、上述のＳ２０２において、完了通知を受信するまで待機する代わりに、ＵＳＢデバイスコントローラ１１０を介して外部装置との通信が行われていない時間が一定時間経過するまで待機して、通信が行われていない時間が一定時間経過した場合に、制御部１０１がＳ２０３を行うようにしてもよい。この場合、制御部１０１は、ＣＰＵ５１内に設けられたタイマーにより通信が行われていない時間を計測する。制御部１０１はその時間にもとづいて一定時間経過するか否かを判断することが出来る。通信が行われているか否かについては、ＵＳＢデバイスコントローラ１１０からの信号に基づいて、制御部１０１は判断可能である。尚、この制御部１０１が、特許請求の範囲に記載の経過時間判断部に相当する。
【０１２５】
また、たとえば、上述のＳ２０２において、完了通知を受信するまで待機する代わりに、ホスト側の表示装置１００から、完了指示通知を受信するまで待機して、完了指示通知を受信した場合に、制御部１０１がＳ２０３を行うようにしてもよい。この場合、ホスト側の表示装置１００では、完了の指示を示す利用者の操作を受け付け、完了の指示を示す操作を受け付けたときに、デバイス側の表示装置１００に完了指示通知を送信する必要がある。このためデバイス側の表示装置１００ではＵＳＢホスト接続処理のＳ３０５でＡＢＣフォルダのデータを転送後に、たとえば閉じるキー１５３が押下されるか否かを受け付け、閉じるキー１５３が押下された時に、ホスト側の表示装置１００の制御部１０１は、デバイス側の表示装置１００に対して完了指示通知を送信するようにすればよい。尚、この場合、閉じるキー１５３が、特許請求の範囲に記載の記憶完了指示受付部に相当し、閉じるキー１５３の押下を検知して、デバイス側の表示装置１００に完了指示通知を送信する制御部１０１が、完了指示通知部に相当する。
【０１２６】
また、上述の実施形態においては、データの記憶が完了したことを示す報知として不揮発性表示パネル１０３にデータ転送完了画面を表示するものとして説明したが、それ以外の報知でもよい。例えば、表示装置１００に所定の色を発光するＬＥＤを設け、ＬＥＤを所定のパターンで発光させることや、表示装置１００にスピーカーを設け、スピーカーにより所定の音を出力させることにより、データの記憶が完了したことを示す報知を行うようにしてもよい。
【０１２７】
本発明が適用される表示装置としては、上述の表示装置１００のように画像のコンテンツを表示するための電子ビューワー等の表示装置に限られない。例えば、デジタルカメラや、音楽再生装置や、携帯電話機等、データを表示する表示部を備えた表示装置であればどのような表示装置に適用してもよい。
【０１２８】
また、上述の実施形態においては、表示装置１００はＡＢＣフォルダに記憶されたデータを不揮発性表示パネル１０３で表示できる形式のデータに変換して、ＡＢＣフォルダ以外の領域に記憶するものとして説明したが、本発明はこれに限らない。ＡＢＣフォルダに記憶されたデータを表示装置１００が表示可能であれば、データを変換することなく、ＡＢＣフォルダ以外の領域に記憶すればよい。
【０１２９】
また、上述の実施形態においては、ＵＳＢホスト接続処理のＳ３０１において、ＡＢＣフォルダにデータがあった場合に（Ｓ３０１：Ｙｅｓ）、確認画面を表示させ（Ｓ３０２）、利用者が「転送する」に対応する位置の選択キー１５７を押下した場合に（Ｓ３０３：Ｙｅｓ）、ＡＢＣフォルダのデータを外部装置に記憶させるようにしたが、本発明はこれに限らない。ＡＢＣフォルダにデータがあった場合は、確認画面を表示させることなく、ＡＢＣフォルダのデータを外部装置に記憶させるようにしても良い。
【０１３０】
また、上述の実施形態においては、メニュー処理において、利用者は「受信後にデータ削除」の設定を行うことができるものとして説明したが、本発明はこれに限らない。「受信後にデータ削除」の設定を行えなくとも、利用者が表示装置１００を操作してＡＢＣフォルダのデータを削除できるようにすればよい。若しくは、ＰＣなどの外部装置を介して表示装置１００のＡＢＣフォルダ内のデータを削除できるようにしても良い。
【０１３１】
また、上述の実施形態においては、ＵＳＢホスト接続処理のＳ３１０において、ＡＢＣフォルダのデータをＡＢＣ＿Ａフォルダに退避するものとして説明したが、本発明はコレに限らない。利用者が「転送する」の選択キー１５７を押下しなかった場合（Ｓ３０３：Ｎｏ）、ＡＢＣフォルダのデータを削除するようにしても良い。
【０１３２】
また、上述の実施形態においては、メニュー処理において「転送後にデータ削除」の設定が行えるものとして説明したが、本発明はこれに限らない。上述のＵＳＢホスト接続処理では、Ｓ３０８において「転送後にデータ削除」の設定が内部メモリ１０４に記憶されている場合に、ＡＢＣフォルダのデータを削除するものとして説明したが、外部装置にＡＢＣフォルダのデータを記憶させた後は、制御部１０１は、ＡＢＣフォルダのデータを常に削除するようにしても良い。この場合、制御部１０１が特許請求の範囲に記載の第四記憶制御部に相当する。
【０１３３】
また、上述の実施形態においては、表示装置１００同士はＵＳＢによる通信の接続を行うものとして説明したが、本発明は他の通信プロトコルにしたがって通信の接続を確立するものにも適用可能である。有線による接続だけでなく無線による接続を行うものにも適用可能である。予めホスト側、デバイス側が定められた接続の方が、利用者は、どちらの表示装置１００のデータを転送するのかを指定する手間が省けるため好ましい。
【０１３４】
上述の実施形態においては、表示装置１００同士はマスストレージクラスで接続されるものとして説明したが、表示装置１００は外部装置のＡＢＣフォルダにデータを記憶させる場合、ＡＢＣフォルダにデータを記憶させることを示す通信メッセージとともにデータを送信することにより、外部装置のＡＢＣフォルダにデータを記憶させるようにしても良い。
【符号の説明】
【０１３５】
１００    表示装置
１０１    制御部
１０２    表示コントローラ
１０３    不揮発性表示パネル
１０４    内部メモリ
１０５    操作部
１０６    メモリカードインターフェース
１０７    メモリカード
１０８    ＵＳＢホストコントローラ
１０９    ＵＳＢホストコネクタ
１１０    ＵＳＢデバイスコントローラ
１１１    ＵＳＢデバイスコネクタ
【図１】
2011138284.tif 000003
【図２】
2011138284.tif 000004
【図３】
2011138284.tif 000005
【図４】
2011138284.tif 000006
【図５】
2011138284.tif 000007
【図６】
2011138284.tif 000008
【図７】
2011138284.tif 000009
【図８】
2011138284.tif 000010
【図９】
2011138284.tif 000011